(57)【要約】【課題】乾性、湿性いずれのタイプの耳垢もきれいに掻き取ることができると共に、外耳道の内壁の痒い箇所を効果的に掻くことができる耳かきを提供する。【解決手段】耳かき１は、棒状の握り部２を有する。握り部２の一端に、外耳道の内壁における周方向の限られた範囲に接触して耳垢を掻き取る第１の掻取り部３が形成されている。握り部２の他端に、弾性変形可能な素材からなり、外耳道の内壁における周方向の広い範囲に接触して耳垢と掻き取ると共に掻き取った耳垢を外耳道から外に掻き出す第２の掻取り部４が形成されている。【選択図】図１
0003220218.tif 000002
【実用新案登録請求の範囲】
【請求項１】
棒状の握り部を有し、前記握り部の一端に、外耳道の内壁における周方向の限られた範囲に接触して耳垢を掻き取る第１の掻取り部が形成され、かつ、前記握り部の他端に、弾性変形可能な素材からなり、外耳道の内壁における周方向の広い範囲に接触して耳垢を掻き取ると共に掻き取った耳垢を外耳道から外に掻き出す第２の掻取り部が形成されていることを特徴とする耳かき。
【請求項２】
請求項１に記載の耳かきにおいて、前記第２の掻取り部は、断面形状が円形で、基端側から先端側に行くに従い直径がテーパ状に大きくなっており、表面にシボ加工が施されている耳かき。
【請求項３】
請求項１に記載の耳かきにおいて、前記第２の掻取り部は、基端側から先端側に向けて延びる芯棒の外周に円形のつば状体が間隔をあけて複数個並んでいる耳かき。
【請求項４】
請求項１乃至請求項３に記載の耳かきにおいて、前記第２の掻取り部を形成する弾性変形可能な素材にエラストマーを用いた耳かき。
【請求項５】
請求項４に記載の耳かきにおいて、前記弾性変形可能な素材であるエラストマーに蓄光性蛍光体を混入して蓄光性機能を発揮するようにした耳かき。
【考案の詳細な説明】
【技術分野】
【０００１】
本考案は、外耳道の内壁を傷付けることなく耳垢をきれいに掻き取って出すことができる耳かきに関する。
【背景技術】
【０００２】
従来の一般的な耳かきは、竹、プラスチック、金属等の硬質な素材で作られており、へら状の掻取り部で耳垢を掻き取るため、掻取り部を外耳道の内壁に強く当てた場合に内壁を傷付けることがあった。これを防ぐために、掻取り部を、柔軟な素材で形成すると共に、複数のつば状体が長さ方向に並ぶ形状とした耳かきが提案されている（例えば特許文献１）。
【先行技術文献】
【特許文献】
【０００３】
【特許文献１】特開２０１５−０１９８７６号公報
【考案の概要】
【考案が解決しようとする課題】
【０００４】
特許文献１の耳かきは、掻取り部が柔軟な素材で形成されているため、外耳道の内壁を傷付けることを防げる。しかし、掻取り部を外耳道に挿入するときにつば状体が外耳道を塞ぐ状態になるため、耳垢が乾性であって外耳道の内壁から剥がれている場合、つば状体が耳垢を外耳道の奥へ押し込んでしまうことがある。また、耳かきは、耳垢を掻き取るという目的以外に、外耳道の内壁の痒い箇所を掻くという目的で使用することもあるが、特許文献１の耳かきは、掻取り部が外耳道の内壁の広い範囲に当たるため、特定の痒い箇所だけを効果的に掻くことができない。
【０００５】
この考案の目的は、乾性、湿性いずれのタイプの耳垢もきれいに掻き取ることができると共に、外耳道の内壁の痒い箇所を効果的に掻くことができる耳かきを提供することである。
【課題を解決するための手段】
【０００６】
上記の課題を解決するために、本考案は、次のように構成した。すなわち、本考案に係る耳かきは、棒状の握り部を有し、前記握り部の一端に、外耳道の内壁における周方向の限られた範囲に接触して耳垢を掻き取る第１の掻取り部が形成され、かつ、前記握り部の他端に、弾性変形可能な素材からなり、外耳道の内壁における周方向の広い範囲に接触して耳垢と掻き取ると共に掻き取った耳垢を外耳道から外に掻き出す第２の掻取り部が形成されていることを特徴としている。
【０００７】
この構成によると、第１の掻取り部は、外耳道の内壁における周方向の限られた範囲に接触するため、挿入時に乾性の耳垢を外耳道の奥へ押し込むことがない。また、外耳道の内壁における特定の痒い箇所を掻くことできる。対して、第２の掻取り部は、弾性変形可能な素材からなるため、外耳道の内壁を傷付けることなく耳垢を掻き取ることができる。また、第２の掻取り部は、外耳道の内壁における周方向の広い範囲に接触するため、外耳道の内壁に付着している耳垢を外耳道の外にきれいに掻き出すことができる。
【０００８】
よって、耳垢が乾性である場合は第１の掻取り部を用いて耳垢を掻き取るのがよく、耳垢が湿性である場合は第２の掻取り部を用いて耳垢を掻き取るのがよい。第１の掻取り部を用いて乾性の耳垢を掻き取った後、外耳道の内壁に付着している耳垢の残りかすを第２の掻取り部を用いて掻き出してもよい。また、外耳道の内壁が痒い場合には、第１の掻取り部を用いて痒い箇所を効果的に掻くことができる。このように、第１の掻取り部および第２の掻取り部を使い分けることで、乾性、湿性いずれのタイプの耳垢もきれいに掻き取ることができると共に、外耳道の内壁の痒い箇所を効果的に掻くことができる。
【０００９】
本考案の耳かきにおいて、前記第２の掻取り部は、断面形状が円形で、基端側から先端側に行くに従い直径がテーパ状に大きくなっており、表面にシボ加工が施されていてもよい。
第２の掻取り部が上記テーパ状であると、外耳道内で第２の掻取り部を外耳道の入口側へ移動させることで、直径が大きい第２の掻取り部の先端側部分によって耳垢が外耳道の外へ掻き出される。第２の掻取り部の表面にシボ加工が施されているため、シボ加工による表面のしわが耳垢を絡め取ることで、耳垢の掻き出しが効果的に行われる。
【００１０】
また、本考案の耳かきにおいて、前記第２の掻取り部は、基端側から先端側に向けて延びる芯棒の外周に円形のつば状体が互いにあけて複数個並んでいる形状であってもよい。
この場合、外耳道内で第２の掻取り部を外耳道の入口側へ移動させることで、複数のつば状体によって耳垢が外耳道の外へ掻き出される。
【００１１】
また、本考案の耳かきにおいて、前記第２の掻取り部を形成する弾性変形可能な素材にエラストマーを使用することで、外耳道を傷つけない程よい弾性力を発揮することができ、子供用や皮膚の弱い人向けに安全性の高いものを提供できる。この場合、エラストマーに蓄光性蛍光体を混入したものを用いれば、外耳道内で使用する際に外耳内部を蛍光で照らすことができ、使い勝手のよい機能性の高いものを提供することができる。
【考案の効果】
【００１２】
本考案に係る耳かきは、棒状の握り部を有し、前記握り部の一端に、外耳道の内壁における周方向の限られた範囲に接触して耳垢を掻き取る第１の掻取り部が形成され、かつ、前記握り部の他端に、弾性変形可能な素材からなり、外耳道の内壁における周方向の広い範囲に接触して耳垢と掻き取ると共に掻き取った耳垢を外耳道から外に掻き出す第２の掻取り部が形成されているため、乾性、湿性いずれのタイプの耳垢もきれいに掻き取ることができると共に、外耳道の内壁の痒い箇所を効果的に掻くことができる。
【図面の簡単な説明】
【００１３】
【図１】（ａ）本考案の第１の実施形態に係る耳かきの正面図、（ｂ）その側面図である。
【図２】同耳かきを用いて行う耳掃除の一過程を示す説明図である。
【図３】同耳かきを用いて行う耳掃除の異なる過程を示す説明図である。
【図４】同耳かきを用いて行う耳掃除のさらに異なる過程を示す説明図である。
【図５】（ａ）本考案の第２の実施形態に係る耳かきの正面図、（ｂ）その側面図である。
【図６】（ａ）本考案の第３の実施形態に係る耳かきの正面図、（ｂ）その側面図である。
【図７】図６（ｂ）のＡ部の拡大断面図である。
【図８】（ａ）本考案の第４の実施形態に係る耳かきの正面図、（ｂ）その側面図である。
【考案を実施するための形態】
【００１４】
以下、本考案の実施の形態について図面に基づき説明する。
【００１５】
［第１の実施形態］
図１（ａ），（ｂ）は本考案の第１の実施形態に係る耳かきの正面図および側面図である。この耳かき１は、棒状の握り部２と、この握り部２の一端（図１では下端）に形成された第１の掻取り部３と、握り部２の他端（図１では上端）に形成された第２の掻取り部４とで構成される。
【００１６】
握り部２の一端は先細りとなっていて、その先に第１の掻取り部３が一体に形成されている。第１の掻取り部３は、先端が丸くなったへら状で、握り部２に対して耳垢の掻き取り面となる正面側に屈曲している。握り部２と第１の掻取り部３とは、同一の硬質な素材、例えば竹、プラスチック、金属等で一体に形成されている。
【００１７】
握り部２の他端も先細りとなっていて、その先に第２の掻取り部４が形成されている。第２の掻取り部４は、断面形状が円形で、基端側から先端側に行くに従い直径がテーパ状に大きくなっている。第２の掻取り部４は、握り部２とは別素材の弾性変形可能な素材からなる。具体的には、エラストマーが適する。エラストマーは硬度が７０程度であり、耳垢を掻き取る際に外耳道を傷つけない程よい弾性力を発揮するので、子供用や皮膚の弱い人向けに安全性の高いものを提供できる。また、エラストマーに抗菌剤を添加させておくと、衛生上にもより好ましくなる。さらに、蓄光性蛍光体を混入して蓄光性を発揮するエラストマーを用いると、外耳道内で使用する際に外耳内部を蛍光で照らすことができるので、使い勝手のよい機能性の高いものを提供することができる。この第２の掻取り部４の表面にはシボ加工も施されている。
【００１８】
この耳かき１は、握り部２を手に持って、第１の掻取り部３または第２の掻取り部４を外耳道に挿入させて耳掃除を行う。いずれの掻取り部３，４を使用するかは、耳垢の性質によって選択される。
【００１９】
耳垢が乾性である場合、図２のように、耳垢１０が外耳道１１の内壁１２から剥がれた状態となっていることが多い。このような場合には、第１の掻取り部３を使用する。第１の掻取り部３は、外耳道１１の内壁１２における周方向の限られた範囲にだけ接触するため、耳垢１０を押し込むことがない。仮に第２の掻取り部４を使用すると、第２の掻取り部４が外耳道１１を塞ぐ状態で挿入されるため、耳垢１０を外耳道１１の奥へ押し込んでしまう可能性がある。
【００２０】
第１の掻取り部３による耳掃除だけでもよいが、その後、図３のように、第２の掻取り部４を用いて、外耳道１１の内壁１２に付着している耳垢１０の残りかすを掻き出してもよい。第２の掻取り部４は表面にシボ加工が施されているため、シボ加工による表面のしわが耳垢１０の残りかすを絡め取ることで、耳垢１０をきれいに除去することができる。
【００２１】
耳垢が湿性である場合、図４のように、耳垢１０が外耳道１１の内壁１２に付着した状態となっている。この場合、第１の掻取り部３は使用せず、第２の掻取り部４だけで耳掃除を行う。具体的には、第２の掻取り部４を外耳道１１の内壁１２に擦り付けた状態で、第２の掻取り部４を外耳道１１の入口側へ移動させる。これにより、直径が大きい第２の掻取り部４の先端側部分４ａによって耳垢１０が外耳道１１の外へ掻き出される。このときも、前記同様に、シボ加工による表面のしわが耳垢１０を絡め取ることで、耳垢１０の掻き出しが効果的に行われる。第２の掻取り部４は弾性変形可能な素材からなるため、第２の掻取り部４を外耳道１１の内壁１２に擦り付けても内壁１２を傷付けない。
【００２２】
このように、第１の掻取り部３および第２の掻取り部４を使い分けることで、乾性、湿性いずれのタイプの耳垢もきれいに掻き取ることができる。また、外耳道１１の内壁１２が痒い場合には、第１の掻取り部３により痒い箇所を効果的に掻くことができる。
【００２３】
［第２の実施形態］
図５（ａ），（ｂ）は本考案の第２の実施形態に係る耳かきの正面図および側面図である。この耳かき１は、第１の実施形態と比べて握り部２Ａの形状が異なる。他は第１の実施形態と同じである。
【００２４】
第２の実施形態の握り部２Ａは、第１の掻取り部３の近くおよび第２の掻取り部４の近くに、それぞれ指当て部５が設けられている。指当て部５は、握り部２Ａの中央部２ａよりも若干直径が細い縮径部分５ａと、この縮径部分５ａの先端側に形成されて中央部２ａよりも直径が大きい拡径部分５ｂとからなる。中央部２ａから縮径部分５ａへ直径が連続的に滑らかに変化し、かつ縮径部分５ａから拡径部分５ｂへ直径が連続的に滑らかに変化している。
【００２５】
耳かき１を使用する場合、図５（ａ）に鎖線を示すように、指当て部５の縮径部分５ａに親指２０と人差し指２１を当てて握り部２Ａを握る。このように握ると、親指２０と人差し指２１が縮径部分５ａに収まると共に、拡径部分５ｂがストッパとなって親指２０と人差し指２１の位置が動きに難くなって、握りが安定する。
【００２６】
［第３の実施形態］
図６（ａ），（ｂ）は本考案の第３の実施形態に係る耳かきの正面図および側面図である。この耳かき１は、第１の実施形態と比べて第２の掻取り部４Ａの形状が異なる。他は第１の実施形態と同じである。
【００２７】
図７に示すように、第３の実施形態の第２の掻取り部４Ａは、基端側から先端側に向けて延びる芯棒６の外周に円形のつば状体７が間隔をあけて複数個、例えば５個並んでいる。各つば状体７は、外径側に行くに従い、肉厚が薄くなり、かつ基端側に位置する。この第２の掻取り部４Ａも、第１の実施形態の第２の掻取り部４と同様に、弾性変形可能な素材、例えばエラストマーからなる。また、抗菌剤が添加されていると、より好ましい。
【００２８】
第２の掻取り部４Ａが上記形状であると、第２の掻取り部４Ａを挿入方向に移動させるときは、各つば状体７の外径部が基端側に撓むことによって、抵抗が小さくなる。このため、楽に挿入することができる。また、第２の掻取り部４Ａを引き抜き方向に移動させるときは、各つば状体７の外径部が先端側に撓むことによって、外径部が外耳道の内壁に押し当てられる。これにより、内壁に付着した耳垢をきれいに掻き取ることができる。第２の掻取り部４Ａは弾性変形可能な素材からなるため、各つば状体７の外径部が外耳道の内壁に押し当てられても、外耳道の内壁を傷付けることはない。
【００２９】
［第４の実施形態］
図７（ａ），（ｂ）は本考案の第４の実施形態に係る耳かきの正面図および側面図である。この耳かき１は、握り部２Ａについては第２の実施形態のものを採用し、第２の掻取り部４Ａについては第３の実施形態のものを採用している。他は各実施形態と同じであって、各実施形態と同様の作用が得られる。
【符号の説明】
【００３０】
１  耳かき
２，２Ａ  握り部
３  第１の掻取り部
４，４Ａ  第２の掻取り部
６  芯棒
７  つば状体
１０  耳垢
１１  外耳道
１２  内壁
【図１】
0003220218.tif 000003
【図２】
0003220218.tif 000004
【図３】
0003220218.tif 000005
【図４】
0003220218.tif 000006
【図５】
0003220218.tif 000007
【図６】
0003220218.tif 000008
【図７】
0003220218.tif 000009
【図８】
0003220218.tif 000010